(57)【要約】【課題】加熱庫内の情報を検出するセンサが熱で損傷する可能性を下げることができる加熱調理器を提供する。【解決手段】加熱調理器は、本体ケーシング(１)と、本体ケーシング(１)内に配置されて開口部(２ａ)を前側に有し、被加熱物を加熱するための加熱庫(２)と、加熱庫(２)の開口部(２ａ)を開閉する扉(３)と、表示部(４)とを備える。表示部(４)は、本体ケーシング(１)または扉(３)に着脱可能に取り付けられていると共に、加熱庫(２)内の情報を検出するセンサ(４３)を有し、センサ(４３)によって検出された加熱庫２内の情報を表示する。【選択図】図１
2018124018.tif 000002
【特許請求の範囲】
【請求項１】
本体ケーシングと、
上記本体ケーシング内に配置されて開口部を前側に有し、被加熱物を加熱するための加熱庫と、
上記加熱庫の開口部を開閉する扉と、
表示部と
を備え、
上記表示部は、上記本体ケーシングまたは扉に着脱可能に取り付けられていると共に、上記加熱庫内の情報を検出するセンサを有し、上記センサによって検出された上記加熱庫内の情報を表示することを特徴とする加熱調理器。
【請求項２】
請求項１に記載の加熱調理器において、
上記センサは、上記加熱庫内の画像を検出するイメージセンサであることを特徴とする加熱調理器。
【請求項３】
請求項２に記載の加熱調理器において、
上記加熱庫内の画像から上記被加熱物の画像を抽出する画像抽出部と、
上記画像抽出部に抽出された上記被加熱物の画像に基づいて、上記被加熱物に対応する料理候補を上記表示部に表示させる表示制御部と
を備えることを特徴とする加熱調理器。
【請求項４】
請求項１から３までのいずれか一項に記載の加熱調理器において、
上記表示部の着脱の状態に応じた信号を出力する着脱センサを備えることを特徴とする加熱調理器。
【請求項５】
請求項４に記載の加熱調理器において、
上記被加熱物の加熱がスタートする前、上記着脱センサから出力された信号に基づいて、上記表示部の着脱を判定する加熱スタート前着脱判定部と、
上記加熱スタート前着脱判定部によって、上記表示部は上記本体ケーシングまたは扉に取り付けられていると判定されたとき、上記被加熱物の加熱のスタートを禁止する加熱スタート禁止部と
を備えることを特徴とする加熱調理器。
【請求項６】
請求項４または５に記載の加熱調理器において、
上記被加熱物の加熱がスタートした後、上記着脱センサから出力された信号に基づいて、上記表示部の着脱を判定する加熱中着脱判定部と、
上記加熱中着脱判定部によって、上記表示部は上記本体ケーシングまたは扉に取り付けられていると判定されたとき、上記被加熱物の加熱を停止させる加熱停止部と
を備えることを特徴とする加熱調理器。
【請求項７】
請求項１から６までのいずれか一項に記載の加熱調理器において、
上記本体ケーシングまたは扉に設けられ、上記被加熱物の加熱の残り時間をカウントダウンする残り時間カウントダウン部と、
上記本体ケーシングまたは扉に設けられ、上記被加熱物の加熱の残り時間を示す信号を無線で送信する送信部と
を備え、
上記表示部は、上記被加熱物の加熱の残り時間を示す信号を無線で受信する受信部を有することを特徴とする加熱調理器。
【発明の詳細な説明】
【技術分野】
【０００１】
この発明は加熱調理器に関する。
【背景技術】
【０００２】
従来、加熱調理器としては、本体ケーシングと、この本体ケーシング内に設けられた加熱庫と、この加熱庫内を撮影するセンサを備えたものがある(例えば特開２０１６−１６６７２４号公報(特許文献１)を参照）。上記センサは、本体ケーシングの一方の側部と加熱庫の一方の側部との間に配置されている。この間に、加熱庫内を照らすライトも配置することにより、ライトの光がセンサの逆光とならないようにしている。
【先行技術文献】
【特許文献】
【０００３】
【特許文献１】特開２０１６−１６６７２４号公報
【発明の概要】
【発明が解決しようとする課題】
【０００４】
しかしながら、上記従来の加熱調理器には、本体ケーシングの一方の側部と加熱庫の一方の側部との間は高温環境となるため、センサが熱損傷してしまう可能性があった。
【０００５】
そこで、この発明の課題は、加熱庫内の情報を検出するセンサが熱で損傷する可能性を下げることができる加熱調理器を提供することにある。
【課題を解決するための手段】
【０００６】
上記課題を解決するため、この発明の一局面の加熱調理器は、
本体ケーシングと、
上記本体ケーシング内に配置されて開口部を前側に有し、被加熱物を加熱するための加熱庫と、
上記加熱庫の開口部を開閉する扉と、
表示部と
を備え、
上記表示部は、上記本体ケーシングまたは扉に着脱可能に取り付けられていると共に、上記加熱庫内の情報を検出するセンサを有し、上記センサによって検出された上記加熱庫内の情報を表示することを特徴としている。
【発明の効果】
【０００７】
したがって、この発明の加熱調理器は、加熱庫内の情報を検出するセンサが熱で損傷する可能性を下げることができる。
【図面の簡単な説明】
【０００８】
【図１】図１はこの発明の第１実施形態の加熱調理器の扉閉鎖時の概略正面図である。
【図２】図２は上記加熱調理器の扉開放時の概略正面図である。
【図３】図３は上記加熱調理器の模式側面図である。
【図４】図４は操作表示ユニットが取り外された状態を説明するための模式断面図である。
【図５】図５は上記加熱調理器の制御ブロック図である。
【図６】図６はこの発明の第２実施形態の加熱調理器の制御ブロック図である。
【図７】図７はこの発明の第３実施形態の加熱調理器の制御ブロック図である。
【図８】図８はこの発明の第４実施形態の加熱調理器の制御ブロック図である。
【図９】図９はこの発明の第５実施形態の加熱調理器の制御ブロック図である。
【発明を実施するための形態】
【０００９】
〔第１実施形態〕
図１,図２は、この発明の第１実施形態の加熱調理器を前側から見た概略図である。なお、図１では、上記加熱調理器の扉３を閉鎖している。一方、図２では、上記加熱調理器の扉３を開放している。
【００１０】
上記加熱調理器は、図１,図２に示すように、直方体形状の本体ケーシング１と、この本体ケーシング１内に設けられ、前面側に開口部２ａを有する加熱庫２と、加熱庫２の開口部２ａを開閉する扉３とを備えている。
【００１１】
上記本体ケーシング１の上面の後部には排気ダクト５が設けられている。また、本体ケーシング１の下部には、露受容器６が着脱可能に取り付けられている。この露受容器６は、扉３の下方に位置し、扉３の後面(加熱庫２側の表面)からの水滴を受けることができるようになっている。
【００１２】
上記加熱庫２は、肉、野菜などの被加熱物(図示せず)を加熱するためのものである。上記被加熱物を焼く場合、ユーザは、上記被加熱物を載せた金属製のトレイ(図示せず)を加熱庫２内に入れ、上棚受け２１Ａ,２１Ｂに上記トレイを支持させる。なお、下棚受け２２Ａ,２２Ｂは、被加熱物を蒸したり、発酵させたりする場合に使用される。
【００１３】
上記扉３は、下端部が本体ケーシング１の前面に回動可能に取り付けられている。この扉３は、前面側(加熱庫２とは反対側)に配置され、耐熱性を有する透明な外側窓ガラス７を有している。さらに、扉３は、外側窓ガラス７の上方に位置するハンドル８と、外側窓ガラス７の右側方に設けられた操作パネル９とを有している。なお、図示しないが、耐熱性を有する透明な内側窓ガラスが、前後方向において外側窓ガラス７と対向するように、扉３の後側に配置されている。
【００１４】
上記操作パネル９の下側にはボタン群１１が設けられている。このボタン群１１は、上記被加熱物の加熱を途中で止めるときなどに押す取り消しキー１２と、上記被加熱物の加熱を開始させるときなどに押すスタートキー１３とで構成されている。
【００１５】
また、上記操作パネル９には操作表示ユニット４が着脱可能に取り付けられている。より詳しくは、操作パネル９においてボタン群１１よりも上側の部分には凹部９ａが設けられている。操作パネル９に操作表示ユニット４を取り付けるとき、操作パネル９の凹部９ａ内に操作表示ユニット４を嵌め込む。なお、操作表示ユニット４は表示部の一例である。
【００１６】
上記操作表示ユニット４は、ユニットケーシング４１と、このユニットケーシング４１の前面に設けられたカラー液晶表示部４２とを有する。扉３の閉鎖時、操作表示ユニット４の大部分が前後方向において加熱庫２と重なる。
【００１７】
上記カラー液晶表示部４２は、ユーザが複数の料理候補の中から所望の料理を選択できるように、料理候補の写真画像を料理名と共に表示可能である。また、カラー液晶表示部４２はスマートフォンの表示部と同様の構造を有している。これにより、ユーザは、カラー液晶表示部４２の表面にタッチすることで、例えば複数の料理候補の中から所望の料理を選択可能となっている。また、上記所望の料理の選択後、ユーザがスタートキー１３を押すと、その料理に応じた加熱処理が開始する。なお、上記複数の料理候補としては、例えば、から揚げ、鶏の照り焼き、茶わん蒸し、もやし豚の蒸し物などがある。これらの候補の写真画像は、加熱制御と対応付けて不揮発性メモリ(図示せず)に予め記憶させている。
【００１８】
また、上記カラー液晶表示部４２は、後で詳述するカラーイメージセンサ４３によって撮像された加熱庫２内の画像を表示する。この画像は、扉３が開閉されると自動的に表示されて、この表示から所定時間が経過すると消える。また、上記画像は、上記表示から所定時間が経過していなくても、例えば取り消しキー１２を押すことで消える。また、上記画像が消えた後でも、例えばカラー液晶表示部４２を操作することで、加熱庫２内の画像は再表示される。なお、カラーイメージセンサ４３はセンサの一例である。
【００１９】
図３は、上記加熱調理器を側方から見た模式断面図である。また、図４は、上記操作パネル９から操作表示ユニット４を取り外したときの状態を説明するための模式断面図である。
【００２０】
上記操作表示ユニット４のユニットケーシング４１内には、図３,図４に示すように、例えばＣＭＯＳ(Complementary Metal Oxide Semiconductor)方式またはＣＣＤ(Charge Coupled Device)のカラーイメージセンサ４３が配置されている。
【００２１】
より詳しくは、上記ユニットケーシング４１の後部には、可視光を透過する耐熱レンズ４４が設けられている。操作パネル９に操作表示ユニット４を取り付けると、耐熱レンズ４４が扉３の貫通孔１４に対向する。すなわち、操作パネル９に操作表示ユニット４を取り付けたとき、カラーイメージセンサ４３は、耐熱レンズ４４および貫通孔１４を介して、加熱庫２内のカラー画像を撮像可能となる。また、そのとき、カラー液晶表示部４２は、カラーイメージセンサ４３で撮像された加熱庫２内のカラー画像を表示可能となる。
【００２２】
上記ユニットケーシング４１の後面にはユニット側端子(図示せず)が設けられている。操作パネル９に操作表示ユニット４を取り付けたとき、上記ユニット側端子が凹部９ａのパネル側端子(図示せず)に電気的に接続される。これにより、カラー液晶表示部４２への電力供給が可能となる。また、カラー液晶表示部４２と制御装置１００(図５に示す)の間で信号の送受信が可能となる。
【００２３】
また、上記ユニットケーシング４１の後面には、耐熱レンズ４４を取り囲む環状のパッキン(図示せず)も設けられている。操作パネル９に操作表示ユニット４を取り付けると、上記パッキンが上記貫通孔１４の周縁部に密着する。すなわち、上記パッキンが前面パネルとユニットケーシング４１の間をシールする。
【００２４】
また、上記操作パネル９および操作表示ユニット４には、操作パネル９に操作表示ユニット４を取り付けた状態を保持するための保持構造(図示せず)が設けられている。この保持構造は、例えば、ユニットケーシング４１の上面および下面のそれぞれに、左右方向に延在して弾性変形可能な畝部を設けると共に、操作パネル９の凹部９ａに上記畝部が嵌まり込む溝を設けることで得られる。
【００２５】
また、上記操作パネル９に操作表示ユニット４を取り付けたとき、ユニットケーシング４１の右側面は扉３などで覆われずに露出する。
【００２６】
図５は上記加熱調理器の制御ブロック図である。
【００２７】
上記加熱調理器は、マイクロコンピュータと入出力回路などからなる制御装置１００を備えている。この制御装置１００は、扉３の右側部内に設置されて、ボタン群１１の後方に位置する。また、制御装置１００は、加熱庫２内に放射するためにマイクロ波を発生させるマグネトロン２０と、加熱庫２内を加熱するヒータ３０と、加熱庫２内に供給する蒸気を発生する蒸気発生装置４０と、加熱庫２内の温度を検出する温度センサ５０と電気的に接続されている。なお、ヒータ３０は加熱部の一例である。
【００２８】
上記構成の加熱調理器では、操作パネル９に操作表示ユニット４を着脱可能に取り付けているので、被加熱物の加熱中、操作パネル９から操作表示ユニット４を取り外して、加熱庫２から操作表示ユニット４を遠ざけることができる。したがって、カラーイメージセンサ４３が加熱庫２側からの熱で加熱されるのを防ぐことができる。その結果、カラーイメージセンサ４３が熱損傷する可能性を下げることができる。
【００２９】
また、上記操作パネル９に操作表示ユニット４を着脱可能に取り付けているので、操作パネル９に操作表示ユニット４を取り付けたとき、凹部９ａとユニットケーシング４１の間で隙間が得られる。したがって、上記隙間の熱伝導効率は低いので、加熱庫２側からの熱は操作表示ユニット４に伝わり難くなる。したがって、仮に、上記操作パネル９から操作表示ユニット４を取り外さずに、被加熱物の加熱を開始させてしまったとしても、カラーイメージセンサ４３の温度上昇を抑制できる。
【００３０】
また、上記操作パネル９に操作表示ユニット４を着脱可能に取り付けているので、操作パネル９から操作表示ユニット４を取り外して、操作パネル９に他の操作表示ユニットに取り換えることができる。
【００３１】
また、上記操作表示ユニット４を他の操作表示ユニットに取り換える場合、この他の操作表示ユニットが、カラーイメージセンサ４３とは異なる機能のセンサを搭載していれば、そのセンサを使ったセンシングが可能となる。すなわち、操作表示ユニット４は、自分の用途にあった他の操作表示ユニットに取り換えることができる。
【００３２】
また、仮に、ユーザが加熱庫２内を見るための窓構造を扉３から無くしたとしても、ユーザは、カラー液晶表示部４２に加熱庫２内の画像を表示させることができるので、カラー液晶表示部４２の表示で加熱庫２内の状態を確認できる。したがって、上記窓構造を扉３から無くせるので、扉３を構成する部材の数を減らして、製造コストを低減できる。
【００３３】
上記カラーイメージセンサ４３とは異なる機能のセンサとしては、例えば近赤外線センサがある。この近赤外線センサは、近赤外線の波長領域の光を加熱庫２内に向けて出射する発光素子と、被加熱物からの近赤外線の波長領域の反射光を受光する受光素子とを有する。したがって、上記近赤外センサを使えば、受光素子により受光された被加熱物からの近赤外線の波長領域の反射光に基づいて、食品に含まれる水分量を判定することができる。
【００３４】
また、上記カラーイメージセンサ４３とは機能が異なる他のセンサとしては、例えば赤外線センサがある。この赤外線センサは、被加熱物から赤外線の波長領域の光を受光する受光部を有する。したがって、上記赤外線センサを使えば、被加熱物の温度または分量を判定することができる。
【００３５】
上記第１実施形態では、操作表示ユニット４は、操作パネル９に着脱可能に取り付けられていたが、本体ケーシング１に着脱可能に取り付けられるようにしてもよい。
【００３６】
上記第１実施形態では、操作表示ユニット４に搭載されるセンサの数は、１つであったが、２以上としてもよい。このように、操作表示ユニット４に２以上のセンサを搭載する場合、２以上のセンサは互いに機能が異なるようにしてもよい。
【００３７】
上記第１実施形態では、操作表示ユニット４は、カラー液晶表示部４２を有していたが、例えば有機エレクトロルミネッセンス表示部を有してもよい。また、操作表示ユニット４の表示は、カラー表示に限らず、白黒表示でもよい。
【００３８】
上記第１実施形態では、制御装置１００は、扉３に搭載されていたが、本体ケーシング１に搭載されるようにしてもよい。
【００３９】
〔第２実施形態〕
図６はこの発明の第２実施形態の加熱調理器の制御ブロック図である。なお、図６では、上記第１実施形態の構成部と同一構成部は、上記第１実施形態の参照番号と同一参照番号を付している。また、以下の説明においても、上記第１実施形態の構成部と同一部構成部には、上記第１実施形態の構成部と同一参照番号を付している。
【００４０】
上記加熱調理器は、上記第１実施形態の制御装置１００とは異なる制御装置２００を備えている。より詳しくは、制御装置２００は、上記第１実施形態の制御装置１００と同様に、扉３の右側部内に設置されているが、画像抽出部２００ａおよび表示制御部２００ｂを有する点で、上記第１実施形態の制御装置１００と異なっている。また、制御装置２００は、上記第１実施形態の制御装置１００と同様に、マグネトロン２０などの制御を行う。
【００４１】
上記画像抽出部２００ａは、カラーイメージセンサ４３で得た加熱庫２内の画像から、被加熱物の画像を抽出する。より詳しくは、ユーザが、カラー液晶表示部４２に料理候補を表示させるために、例えばカラー液晶表示部４２を操作すると、カラーイメージセンサ４３が加熱庫２内を撮像する。この撮像に応じて、画像抽出部２００ａが被加熱物の画像を抽出する。
【００４２】
上記表示制御部２００ｂは、画像抽出部２００ａに抽出された被加熱物の画像に基づいて、上記被加熱物を使う料理を不揮発性メモリ内から検索して、上記被加熱物を使う料理を候補としてカラー液晶表示部４２に表示させる。このとき、上記被加熱物を使う料理が複数あった場合、ユーザは、例えば、カラー液晶表示部４２の表示を順次切り替えることで、複数の料理の写真画像を確認可能である。
【００４３】
上記構成の加熱調理器では、カラー液晶表示部４２に表示される料理候補は、画像抽出部２００ａに抽出された被加熱物の画像に基づいて不揮発性メモリ内から検索されたものである。したがって、上記料理候補が的外れになるのを防ぐことができる。
【００４４】
上記第２実施形態でも、第１実施形態の変形例で記載したように、操作表示ユニット４は、本体ケーシング１に着脱可能に取り付けられるようにしてもよい。
【００４５】
〔第３実施形態〕
図７はこの発明の第３実施形態の加熱調理器の制御ブロック図である。なお、図７では、上記第１実施形態の構成部と同一構成部は、上記第１実施形態の参照番号と同一参照番号を付している。また、以下の説明においても、上記第１実施形態の構成部と同一部構成部には、上記第１実施形態の構成部と同一参照番号を付している。
【００４６】
上記加熱調理器では、操作パネル３０９が着脱センサ３１５を有している。この着脱センサ３１５は、操作表示ユニット４の着脱の状態に応じた信号を制御装置３００に出力する。
【００４７】
また、上記加熱調理器は制御装置３００を備える。この制御装置３００は、上記第１実施形態の制御装置１００と同様に、扉３の右側部内に設置されており、加熱スタート前着脱判定部３００ａおよび加熱スタート禁止部３００ｂを有する。また、制御装置３００は、上記第１実施形態の制御装置１００と同様に、マグネトロン２０などの制御を行う。
【００４８】
上記加熱スタート前着脱判定部３００ａは、被加熱物の加熱がスタートする前、着脱センサ３１５から出力された信号に基づいて、操作表示ユニット４の着脱を判定する。
【００４９】
上記加熱スタート禁止部３００ｂは、加熱スタート前着脱判定部３００ａによって、操作パネル３０９に操作表示ユニット４を取り付けている状態であると判定されたとき、被加熱物のヒータ加熱のスタートを禁止する。すなわち、操作パネル３０９に操作表示ユニット４を取り付けた状態だと、ヒータ３０への電力供給は不可能となる。
【００５０】
また、上記加熱スタート禁止部３００ｂは、加熱スタート前着脱判定部３００ａによって、操作パネル３０９から操作表示ユニット４を取り外された状態であると判定されたとき、被加熱物のヒータ加熱のスタートを禁止しない。すなわち、操作パネル３０９から操作表示ユニット４を取り外された状態だと、ヒータ３０への電力供給は可能となる。
【００５１】
なお、上記操作パネル３０９に操作表示ユニット４を取り付けた状態でも、マグネトロン２０および蒸気発生装置４０への電力供給は可能である。
【００５２】
上記構成の加熱調理器では、操作パネル３０９に操作表示ユニット４を取り付けたまま、ユーザが加熱処理を開始させるためにスタートキー１３を押した場合、加熱スタート禁止部３００ｂが被加熱物のヒータ加熱のスタートを禁止する。したがって、カラーイメージセンサ４３がヒータ３０で加熱されるのを確実に防ぐことができる。
【００５３】
また、上記操作パネル３０９から操作表示ユニット４を取り外した後、ユーザが加熱処理を開始させるためにスタートキー１３を押した場合、加熱スタート禁止部３００ｂが被加熱物のヒータ加熱のスタートを禁止しない。したがって、上記被加熱物をヒータ３０で加熱することができる。
【００５４】
上記第３実施形態でも、第１実施形態の変形例で記載したように、操作表示ユニット４は、本体ケーシング１に着脱可能に取り付けられるようにしてもよい。このようにする場合、例えば、本体ケーシングに、操作表示ユニット４の着脱を判定するための着脱センサ３１５を設けてもよい。
【００５５】
上記第３実施形態では、操作パネル３０９に操作表示ユニット４を取り付けままでも、被加熱物は、マグネトロン２０または蒸気発生装置４０で加熱できるようにしていたが、例えば、マグネトロン２０および蒸気発生装置４０のどちらでも加熱できないようにしてもよい。
【００５６】
〔第４実施形態〕
図８はこの発明の第４実施形態の加熱調理器の制御ブロック図である。なお、図８では、上記第１,第３実施形態の構成部と同一構成部は、上記第１,第３実施形態の参照番号と同一参照番号を付している。また、以下の説明においても、上記第１,第３実施形態の構成部と同一部構成部には、上記第１,第３実施形態の構成部と同一参照番号を付している。
【００５７】
上記加熱調理器は制御装置４００を備える。この制御装置４００は、上記第１実施形態の制御装置１００と同様に、扉３の右側部内に設置されており、加熱中着脱判定部４００ａおよび加熱停止部４００ｂを有する。また、制御装置４００は、上記第１実施形態の制御装置１００と同様に、マグネトロン２０などの制御を行う。
【００５８】
上記加熱中着脱判定部４００ａは、被加熱物のヒータ加熱がスタートした後、着脱センサ３１５から出力された信号に基づいて、操作表示ユニット４の着脱を判定する。すなわち、上記被加熱物をヒータ３０で加熱している最中は、加熱中着脱判定部４００ａによる操作表示ユニット４の着脱判定が行われる。
【００５９】
上記加熱停止部４００ｂは、加熱中着脱判定部４００ａによって、操作パネル３０９に操作表示ユニット４を取り付けられている状態であると判定されたとき、被加熱物のヒータ加熱を停止させる。すなわち、ヒータ３０への電力供給が停止する。
【００６０】
また、上記加熱停止部４００ｂは、加熱中着脱判定部４００ａによって、操作パネル３０９から操作表示ユニット４を取り外された状態であると判定されたとき、被加熱物のヒータ加熱を停止させない。すなわち、ヒータ３０への電力供給が停止しない。
【００６１】
なお、上記被加熱物をマグネトロン２０または蒸気発生装置４０で加熱している最中、加熱中着脱判定部４００ａによる操作表示ユニット４の着脱判定は行われない。
【００６２】
上記構成の加熱調理器では、被加熱物のヒータ加熱中、操作パネル３０９に操作表示ユニット４を取り付けた場合、加熱停止部４００ｂが被加熱物のヒータ加熱を停止させるので、カラーイメージセンサ４３の温度上昇を抑制できる。
【００６３】
また、上記被加熱物のヒータ加熱中、操作パネル３０９に操作表示ユニット４を取り付けなければ、加熱停止部４００ｂが被加熱物のヒータ加熱を停止させないので、被加熱物のヒータ加熱を維持できる。
【００６４】
上記第４実施形態でも、第１実施形態の変形例で記載したように、操作表示ユニット４は、本体ケーシング１に着脱可能に取り付けられるようにしてもよい。このようにする場合、例えば、本体ケーシングに、操作表示ユニット４の着脱を判定するための着脱センサ３１５を設けてもよい。
【００６５】
上記第４実施形態では、加熱中着脱判定部４００ａによる操作表示ユニット４の着脱判定は、マグネトロン２０または蒸気発生装置４０による被加熱物の加熱時に行われないようにしていたが、例えば、上記加熱時にも行われるようにしてもよい。
【００６６】
〔第５実施形態〕
図９はこの発明の第５実施形態の加熱調理器の制御ブロック図である。なお、図９では、上記第１,第３実施形態の構成部と同一構成部は、上記第１,第３実施形態の参照番号と同一参照番号を付している。また、以下の説明においても、上記第１,第３実施形態の構成部と同一部構成部には、上記第１,第３実施形態の構成部と同一参照番号を付している。
【００６７】
上記加熱調理器では、操作表示ユニット５０４が、カラー液晶表示部４２、カラーイメージセンサ４３、充電池５４４およびユニット側通信部５４５を有している。この充電池５４４およびユニット側通信部５４５も、カラーイメージセンサ４３と同様に、ユニットケーシング４１内に配置されている。なお、ユニット側通信部５４５は受信部の一例である。
【００６８】
上記充電池５４４は、操作表示ユニット５０４のユニット側端子が操作パネル９のパネル側端子に電機的に接続されると、自動的に充電される。この電機的な接続は、上記第１実施形態で説明したように、操作パネル９に操作表示ユニット５０４を取り付けると得られる。
【００６９】
上記ユニット側通信部５４５は、後で詳述する扉側通信部５００ｂによって送信されて被加熱物の加熱の残り時間を示す信号を、無線で受信する。このとき、カラー液晶表示部４２は、上記信号に基づいて、被加熱物の加熱の残り時間を表示する。また、ユニット側通信部５４５は、カラー液晶表示部４２への操作に応じた信号を扉側通信部５００ｂに無線で送信する。すなわち、ユニット側通信部５４５は、扉側通信部５００ｂとの間において、信号の送受信を無線で行うことが可能である。
【００７０】
また、上記加熱調理器は制御装置５００を備える。この制御装置５００は、上記第１実施形態の制御装置１００と同様に、扉３の右側部内に設置されており、残り時間カウントダウン部５００ａおよび扉側通信部５００ｂを有する。また、制御装置５００は、上記第１実施形態の制御装置１００と同様に、マグネトロン２０などの制御を行う。なお、扉側通信部５００ｂは送信部の一例である。
【００７１】
上記残り時間カウントダウン部５００ａは、被加熱物の加熱の残り時間をカウントダウンする。より詳しくは、所定の料理などが選択された後、ユーザがスタートキー１３を押すと、被加熱物の加熱の残り時間のカウントダウンが開始される。
【００７２】
上記扉側通信部５００ｂは、被加熱物の加熱の残り時間を示す信号をユニット側通信部５４５に無線で送信する。また、扉側通信部５００ｂは、ユニット側通信部５４５によって送信される操作信号、つまり、カラー液晶表示部４２への操作に応じた信号を、無線で受信する。すなわち、ユニット側通信部５４５は、扉側通信部５００ｂと無線で信号の送受信を行う。
【００７３】
上記構成の加熱調理器では、操作パネル９から操作表示ユニット５０４を取り外されても、被加熱物の加熱の残り時間を示す信号がユニット側通信部５４５で受信されて、操作表示ユニット５０４に被加熱物の加熱の残り時間がカラー液晶表示部４２に表示される。したがって、ユーザは本体ケーシングから離れたところでも、被加熱物の加熱の進行状況を確認できる。
【００７４】
上記第５実施形態において、ユニット側通信部５４５と扉側通信部５００ｂの間の無線通信は、例えばBluetooth(登録商標)、Wi-Fiなどを利用をしたものであってもよい。
【００７５】
また、上記ユニット側通信部５４５と扉側通信部５００ｂの間の無線通信は、マグネトロン２０、ヒータ３０および蒸気発生装置４０のうちの少なくとも一つで被加熱物を加熱しているのであれば、行われるようにしてもよい。
【００７６】
この発明の具体的な実施形態およびその変形例について説明したが、この発明は上記実施形態に限定されるものではなく、この発明の範囲内で種々変更して実施することができる。例えば、上記第１〜第５実施形態およびその変形例を適宜組み合わせたものを、この発明の一実施形態にしてもよい。
【００７７】
以上の開示を纏めると、次のようになる。
【００７８】
この発明の一局面の加熱調理器は、
本体ケーシング１と、
上記本体ケーシング１内に配置されて開口部２ａを前側に有し、被加熱物を加熱するための加熱庫２と、
上記加熱庫２の開口部２ａを開閉する扉３と、
表示部４,５０４と
を備え、
上記表示部４,５０４は、上記本体ケーシング１または扉３に着脱可能に取り付けられていると共に、上記加熱庫２内の情報を検出するセンサ４３を有し、上記センサ４３によって検出された上記加熱庫２内の情報を表示することを特徴としている。
【００７９】
上記構成によれば、上記本体ケーシング１または扉３に表示部４,５０４を着脱可能に取り付けることにより、被加熱物の加熱中、本体ケーシング１または扉３から表示部４,５０４を取り外して、加熱庫２から表示部４,５０４を遠ざけることができる。したがって、上記表示部４,５０４のセンサ４３が加熱庫２側からの熱で加熱されるのを防ぐことができる。その結果、上記センサ４３が熱損傷する可能性を下げることができる。
【００８０】
また、上記本体ケーシング１または扉３に表示部４,５０４を着脱可能に取り付けるための構造にすると、本体ケーシング１または扉３と表示部４,５０４の間における熱伝導率を下げることができる。その結果、上記加熱庫２側からの熱は、本体ケーシング１または扉３と表示部４,５０４の間を介して、表示部４,５０４に伝わり難くなる。したがって、上記本体ケーシング１または扉３に表示部４,５０４を取り付けたまま、被加熱物の加熱が行われても、センサ４３の温度上昇を抑制できる。
【００８１】
また、上記本体ケーシング１または扉３に表示部４,５０４を着脱可能に取り付けることにより、この表示部４,５０４は、自分の用途にあった他の表示部に交換できる。
【００８２】
一実施形態の加熱調理器では、
上記センサ４３は、上記加熱庫２内の画像を検出するイメージセンサ４３である。
【００８３】
上記実施形態によれば、上記イメージセンサ４３によって検出された加熱庫２内の画像が表示部４,５０４に表示される。したがって、上記扉３に窓を設けなくても、ユーザは表示部４,５０４を見ることで加熱庫２内の状態を確認できる。
【００８４】
なお、上記窓は、ユーザが加熱庫２内を見るための窓である。
【００８５】
一実施形態の加熱調理器は、
上記加熱庫２内の画像から上記被加熱物の画像を抽出する画像抽出部２００ａと、
上記画像抽出部２００ａに抽出された上記被加熱物の画像に基づいて、上記被加熱物に対応する料理候補を上記表示部４に表示させる表示制御部２００ｂと
を備える。
【００８６】
上記実施形態によれば、上記料理候補は被加熱物の画像に基づくものなので、被加熱物と無関係な料理候補が表示部４に表示されるのを防ぐことができる。すなわち、ユーザが選択する可能性が高いメニューを表示部４に表示させることができる。
【００８７】
一実施形態の加熱調理器は、
上記表示部４の着脱の状態に応じた信号を出力する着脱センサ３１５を備える。
【００８８】
上記実施形態によれば、着脱センサ３１５は表示部４の着脱の状態に応じた信号を出力するので、その信号に基づいて、表示部４の着脱の状態に応じた加熱制御を行うことができる。
【００８９】
一実施形態の加熱調理器は、
上記被加熱物の加熱がスタートする前、上記着脱センサ３１５から出力された信号に基づいて、上記表示部４の着脱を判定する加熱スタート前着脱判定部３００ａと、
上記加熱スタート前着脱判定部３００ａによって、上記表示部４は上記本体ケーシング１または扉３に取り付けられていると判定されたとき、上記被加熱物の加熱のスタートを禁止する加熱スタート禁止部３００ｂと
を備える。
【００９０】
上記実施形態によれば、上記加熱スタート前着脱判定部３００ａおよび加熱スタート禁止部３００ｂにより、本体ケーシング１または扉３に表示部４を取り付けたままでは、被加熱物の加熱がスタートしない。したがって、上記表示部４のセンサ４３が加熱庫２側からの熱で加熱されるのを確実に防ぐことができる。
【００９１】
一実施形態の加熱調理器は、
上記被加熱物の加熱がスタートした後、上記着脱センサ３１５から出力された信号に基づいて、上記表示部４の着脱を判定する加熱中着脱判定部４００ａと、
上記加熱中着脱判定部４００ａによって、上記表示部４は上記本体ケーシング１または扉３に取り付けられていると判定されたとき、上記被加熱物の加熱を停止させる加熱停止部４００ｂと
を備える。
【００９２】
上記実施形態によれば、上記被加熱物の加熱中、本体ケーシング１または扉３に表示部４を取り付けたとしても、加熱中着脱判定部４００ａおよび加熱停止部４００ｂにより、被加熱物の加熱を停止させることができる。したがって、上記表示部４のセンサ４３の温度上昇を抑制できる。すなわち、上記表示部４の好ましくない取り付けが行われたとしても、センサ４３が熱損傷する可能性を下げることができる。
【００９３】
一実施形態の加熱調理器は、
上記本体ケーシング１または扉３に設けられ、上記被加熱物の加熱の残り時間をカウントダウンする残り時間カウントダウン部５００ａと、
上記本体ケーシング１または扉３に設けられ、上記被加熱物の加熱の残り時間を示す信号を無線で送信する送信部５００ｂと
を備え、
上記表示部５０４は、上記被加熱物の加熱の残り時間を示す信号を無線で受信する受信部５４５を有する。
【００９４】
上記実施形態によれば、上記本体ケーシング１または扉３から表示部５０４を取り外しても、表示部５０４の受信部５４５が被加熱物の加熱の残り時間を示す信号を無線で受信するので、表示部５０４に被加熱物の加熱の残り時間を表示させることができる。したがって、ユーザは本体ケーシング１から離れたところでも、被加熱物の加熱の進行状況を確認できる。
【符号の説明】
【００９５】
１  本体ケーシング
２  加熱庫
２ａ  開口部
３  扉
４,５０４  操作表示ユニット
４２  カラー液晶表示部
４３  カラーイメージセンサ
２００ａ  画像抽出部
２００ｂ  表示制御部
３００ａ  加熱スタート前着脱判定部
３００ｂ  加熱スタート禁止部
３１５  着脱センサ
４００ａ  加熱中着脱判定部
４００ｂ  加熱停止部
５００ａ  残り時間カウントダウン部
５００ｂ  扉側通信部
５４５  ユニット側通信部
【図１】
2018124018.tif 000003
【図２】
2018124018.tif 000004
【図３】
2018124018.tif 000005
【図４】
2018124018.tif 000006
【図５】
2018124018.tif 000007
【図６】
2018124018.tif 000008
【図７】
2018124018.tif 000009
【図８】
2018124018.tif 000010
【図９】
2018124018.tif 000011